(57)【特許請求の範囲】
【請求項１】
建築基礎の隅部のモジュール芯の交点や隅部の付近に位置する柱位置を頂点して対角寸法を点検するための建築基礎の対角寸法点検具において、
一本の柱を締結するためのアンカーボルト集合体に嵌め込まれるボルト嵌合部と、水平点検面とを備え、
ボルト嵌合部は、アンカーボルト集合体のアンカーボルトの間隔に合わせて配設される少なくとも２つのボルト嵌合孔から成り、
水平点検面は、アンカーボルト集合体にボルト嵌合部が嵌め込まれた状態では、アンカーボルト集合体よりも上方に位置するように設定され、水平点検面のうち、モジュール芯の交点を通る鉛直線上に位置する部位には、距離測量用テープの始端を固定するための固定部が設けられていることを特徴とする建築基礎の対角寸法点検具。
【請求項２】
アンカーボルト集合体にボルト嵌合部が嵌合したときに基礎の天端面に重なる重ね板を備え、この重ね板の外縁部のうち、モジュール芯に対応する部位に墨出し用の切り欠きが設けられたことを特徴とする請求項１に記載の建築基礎の対角寸法点検具。
【請求項３】
建築基礎の隅部のモジュール芯の交点や隅部の付近に位置する柱位置を頂点とする対角寸法を点検するための建築基礎の対角寸法点検具において、
一本の柱を締結するためのアンカーボルト集合体に嵌め込まれるボルト嵌合部と、水平点検面とを備え、
ボルト嵌合部は、アンカーボルト集合体のアンカーボルトの間隔に合わせて配設される少なくとも２つのボルト嵌合孔から成り、
水平点検面は、アンカーボルト集合体にボルト嵌合部が嵌め込まれた状態では、アンカーボルト集合体よりも上方に位置するように設定され、水平点検面のうち、モジュール芯の交点を通る鉛直線上に位置する部位には、距離測量用テープの読定標が設けられていることを特徴とする建築基礎の対角寸法点検具。
【請求項４】
アンカーボルト集合体にボルト嵌合部が嵌合したときに基礎の天端面に重なる重ね板を備え、この重ね板の外縁部のうち、モジュール芯に対応する部位に墨出し用の切り欠きが設けられたことを特徴とする請求項３に記載の建築基礎の対角寸法点検具。
【発明の詳細な説明】
【０００１】
【発明の属する技術分野】
本発明は、建築物の基礎の出隅部若しくは入隅部や基礎出入隅部の付近に位置する柱位置を頂点として基礎の対角寸法を測るための建築基礎の対角寸法点検具に関するものである。
【０００２】
【従来の技術】
基礎に埋設されるアンカーボルトは、建物の柱の位置を決定するので、基礎ａのモジュール芯（Ｎ芯）の墨出しは、アンカーボルトを基準に行うのが合理的である。
そこで、図１１に示すように、基礎ａの出隅部若しくは入隅部でのモジュール芯ｃの交点ｃ１や基礎出入隅部の付近に位置する柱位置を頂点として対角寸法を測り、アンカーボルトｂの位置精度を点検する方法が採用されている。
【０００３】
しかし、図１２に示すように、基礎ａの隅部ａ１間にテープｄを張り、テープｄの始端側の補助者がテープｄの始端を隅部ａ１のモジュール芯ｃの交点に当て、テープｄの読み手が他の隅部ａ１のモジュール芯ｃの交点上のテープｄの目盛りを読み取る場合には、二人の作業者が必要になるという問題があり、基礎出入隅部の付近に位置する柱位置を頂点として対角寸法を測る場合でも同様の問題があった。
また、テープｄを基礎ａの隅部ａ１のモジュール芯ｃの交点ｃ１や基礎出入隅部の付近に位置する柱位置にセットする場合には、アンカーボルトｂを避けなければならないので、作業が非能率なものになっていた。
更に、図１３に示すように、基礎ａと対角線とのなす角度θによっては、テープｄがアンカーボルトｂに引っ掛かり、テープｄが途中で折れて測定誤差が生じるという問題もあった。
【０００４】
【発明が解決しようとする課題】
本発明は、上記従来の課題に鑑みてなされたものであって、本発明の目的とするところは、一人の作業者によって建築基礎の対角寸法の点検を行うことができ、アンカーボルトが邪魔にならず、さらに、対角寸法の点検作業の他にモジュール芯の墨出しも行うことができる建築基礎の対角寸法点検具を提供することである。
【０００５】
【課題を解決するための手段】
上記目的を達成するために、本発明の請求項１の建築基礎の対角寸法点検具は、建築基礎の隅部のモジュール芯の交点や隅部の付近に位置する柱位置を頂点とする対角寸法を点検するための建築基礎の対角寸法点検具において、一本の柱を締結するためのアンカーボルト集合体に嵌め込まれるボルト嵌合部と、水平点検面とを備え、ボルト嵌合部は、アンカーボルト集合体のアンカーボルトの間隔に合わせて配設される少なくとも２つのボルト嵌合孔から成り、水平点検面は、アンカーボルト集合体にボルト嵌合部が嵌め込まれた状態では、アンカーボルト集合体よりも上方に位置するように設定され、水平点検面のうち、モジュール芯の交点を通る鉛直線上に位置する部位には、距離測量用テープの始端を固定するための固定部が設けられていることを特徴とする。
【０００６】
請求項２の建築基礎の対角寸法点検具は、請求項１に記載の建築基礎の対角寸法点検具において、アンカーボルト集合体にボルト嵌合部が嵌合したときに基礎の天端面に重なる重ね板を備え、この重ね板の外縁部のうち、モジュール芯に対応する部位に墨出し用の切り欠きが設けられたことを特徴とする。
【０００７】
請求項３の建築基礎の対角寸法点検具は、建築基礎の隅部のモジュール芯の交点や隅部の付近に位置する柱位置を頂点とする対角寸法を点検するための建築基礎の対角寸法点検具において、一本の柱を締結するためのアンカーボルト集合体に嵌め込まれるボルト嵌合部と、水平点検面とを備え、ボルト嵌合部は、アンカーボルト集合体のアンカーボルトの間隔に合わせて配設される少なくとも２つのボルト嵌合孔から成り、水平点検面は、アンカーボルト集合体にボルト嵌合部が嵌め込まれた状態では、アンカーボルト集合体よりも上方に位置するように設定され、水平点検面のうち、モジュール芯の交点を通る鉛直線上に位置する部位には、距離測量用テープの読定標が設けられていることを特徴とする。
【０００８】
請求項４の建築基礎の対角寸法点検具は、請求項３に記載の建築基礎の対角寸法点検具において、アンカーボルト集合体にボルト嵌合部が嵌合したときに基礎の天端面に重なる重ね板を備え、この重ね板の外縁部のうち、モジュール芯に対応する部位に墨出し用の切り欠きが設けられたことを特徴とする。
【０００９】
【発明の実施の形態】
以下、本発明の実施の形態を図面に従って説明する。
図１は、テープＴの始端側に配設される対角寸法点検具１の斜視図を示し、図２は、対角寸法点検具１を基礎Ａにセットするための動作を示し、図３は、測量用テープＴの読定側に配設される対角寸法点検具２の斜視図を示している。
図４及び図５は、建築基礎の対角寸法点検具１，２を用いて基礎Ａの対角寸法を点検する作業を示している。
【００１０】
テープＴの始端側に配設される対角寸法点検具１は、アンカーボルト集合体Ｂ，Ｃに嵌め込まれるボルト嵌合部３と、表面側が水平点検面４となった点検板４１と、重ね板５とで構成されている。
対角寸法点検具１は、図４に示すように、基礎Ａの隅部Ａ１のモジュール芯Ｍの交点を頂点とする対角寸法を点検するものであり、また、同図に示すように、基礎Ａの隅部Ａ２に柱が立設されないためにこの隅部Ａ２にアンカーボルト集合体Ｂ，Ｃが埋め込まれていない場合には、隅部Ａ２付近に位置する柱位置Ａ３を頂点とする対角寸法を点検するものである。
図２及び図４に示すように、アンカーボルト集合体Ｂ，Ｃは、一本の鉄骨製の柱のベースプレートを固定するために４本のアンカーボルトＢ１，Ｃ１が集まって構成されている。
図２及び図４に示すように、アンカーボルト集合体Ｂは、耐力壁を構成する柱を基礎Ａに固定するためのものであり、アンカーボルト集合体Ｃは、非耐力壁を構成する柱を基礎Ａに固定するためのものである。
【００１１】
図１に示すように、ボルト嵌合部３は、８本の下端に挿入口６１，６１Ａを有するボルト嵌合縦筒６，６Ａから構成され、中央の４本のボルト嵌合縦筒６Ａは、アンカーボルト集合体Ｃの各アンカーボルトＣ１を嵌め込むためのものであり、両側に配設される４本のボルト嵌合縦筒６は、アンカーボルト集合体Ｂの各アンカーボルトＢ１を嵌め込むためのものであり、ボルト嵌合縦筒６，６Ａ内にはボルト嵌合孔６２，６２Ａが形成されている。
ボルト嵌合縦筒６，６Ａは、アンカーボルト集合体Ｂ，ＣのアンカーボルトＢ１，Ｃ１の間隔に合わせて配設されている。
対角寸法点検具１は、耐力壁用柱のアンカーボルト集合体Ｂと非耐力壁用柱のアンカーボルト集合体Ｃのいずれにも嵌め込むことができるようになっている。
【００１２】
図２に示すように、点検板４１はボルト嵌合縦筒６，６Ａの上端部が固定されており、点検板４１の水平点検面４には、テープＴの始端の留め金Ｔ１を引っ掛けるための３本のピン７Ｂ，７Ｃが突出されている。
図５に示すように、ボルト嵌合部３のボルト嵌合縦筒６をアンカーボルト集合体Ｂの各アンカーボルトＢ１に嵌め込んだ状態では、点検板４１は水平になると共に、ピン７Ｂは基礎Ａの隅部Ａ１のモジュール芯Ｍの交点を通る鉛直線上に位置するようにそれぞれ設定されている。
図５に示すように、ボルト嵌合部３のボルト嵌合縦筒６Ａをアンカーボルト集合体Ｃの各アンカーボルトＣ１に嵌め込んだ状態では、点検板４１は水平になると共に、ピン７Ｃは基礎Ａの隅部Ａ１のモジュール芯Ｍの交点を通る鉛直線上に位置するようにそれぞれ設定されている。
ピン７Ｂ，７Ｃの上端は折り曲げられて抜止め７１Ｂ，７１Ｃが形成されている。
【００１３】
図１に示すように、点検板４１の水平点検面４には、基礎Ａのモジュール芯Ｍと鉛直方向で対応するモジュール線８，８１，８２がけがき等によって印されている。
図５に示すように、モジュール線８は、非耐力壁用柱又は耐力壁用柱のいずれのアンカーボルトＢ１，Ｃ１にボルト嵌合縦筒６，６Ａを嵌め込んでも、モジュール芯Ｍと対応するものである。
モジュール線８１は、非耐壁用柱のアンカーボルトＣ１にボルト嵌合縦筒６Ａを嵌め込んだときに、モジュール芯Ｍに対応するものであり、モジュール基準線８２は、図５に示すように、耐壁用柱のアンカーボルトＢ１にボルト嵌合部３のボルト嵌合縦筒６を嵌め込んだときに、モジュール芯Ｍに対応するものである。
図１に示すように、点検板４１の外縁部のうち、後述する重ね板５の墨出し用切欠き５１と鉛直方向で対応する部位には切欠き４２が設けられている。この切欠き４２の存在により、点検板４１の外縁部に邪魔されることなく墨出しのための印を付けることができる。この墨出し作業については後述する。
【００１４】
図１に示すように、重ね板５はモジュール芯Ｍの墨出しのために使用されるものであって、ボルト嵌合縦筒６に対応して取付孔５２が穿設されており、この取付孔５２にはボルト嵌合縦筒６の下端が嵌着されている。
重ね板５の外縁部のうち、モジュール芯Ｍに対応する部位にはモジュール芯Ｍの上に天端墨を打つための墨出し用切欠き５１が設けられている。
【００１５】
テープＴの読定側に配設される対角寸法点検具２については、基礎Ａの隅部Ａ１におけるモジュール芯Ｍの交差点と鉛直方向で対応する部位に、ピン７Ｂ，７Ｃに代えて読定用小孔９Ｂ，９Ｃが設けられている以外は、テープＴの始端側に配設される対角寸法点検具１と構成が同じであるので、同一部分又は相当部分に同符号を付することにより、その説明を省略する。
【００１６】
対角寸法点検具１，２を用いた対角寸法の点検作業は、図４及び図５に示すように、まず、テープＴの始端側に対角寸法点検具１をセットすると共に、テープＴの読定側に対角寸法点検具２をセットする。なお、この点検作業では、対角寸法点検具１はアンカーボルト集合体Ｂに嵌め込まれ、対角寸法点検具２はアンカーボルト集合体Ｃに嵌め込まれている。
次に、テープＴの始端に取付けられた留め金Ｔ１を対角寸法点検具１のピン７Ｂに引っ掛けた後、対角線の方向にテープＴを張り、テープＴの読定側を対角寸法点検具２の水平点検面４上に位置させて読定用小孔９に位置するテープＴの目盛りを読む。
このように、対角寸法点検具１，２を使用することにより、アンカーボルトＢ１に邪魔されることなく一人の測定者が点検作業を行うことができ、また、テープＴを常に真っ直ぐ張ることができるので、測定誤差を小さくすることができる。
また、対角寸法点検具１，２を用いてモジュール芯Ｍの上に天端墨を打つことができる。すなわち、天端墨を打とうとする区間の両端に位置するアンカーボルト集合体Ｂ，Ｃに対角寸法点検具１，２を嵌め込み、対角寸法点検具１，Ｂの重ね板５の墨出し用切欠き５１内の基礎Ａの天端面に印を付け、対角寸法点検具１，ＢをアンカーボルトＢ１から取り外してこの印を目安にして墨出しを行う。
また、図４に示すように、アンカーボルト集合体Ｂ，Ｃが埋め込まれていない隅部Ａ２がある場合には、この隅部Ａ２の付近に位置するアンカーボルト集合体Ｂ（Ｃ）に対角寸法点検具１（２）を嵌め込んで対角寸法を点検する。
【００１７】
図６は、対角寸法点検具１，２を用いた基礎Ａの辺長の測量作業を示しており、当該辺長の一端に対角寸法点検具１をセットすると共に、他端に対角寸法点検具２をセットする。
そして、当該辺長の一端に位置する対角寸法点検具１のピン７ＢにテープＴの留め金Ｔ１を引っ掛け、当該辺長の他端に位置する対角寸法点検具２の読定用小孔９ＣにテープＴを当ててテープＴを目盛を読み取る。
【００１８】
図７は、耐力壁用柱のアンカーボルト集合体Ｂ専用の対角寸法点検具１Ａの斜視図を示している。
対角寸法点検具１Ａは、テープＴの始端側に配設されて基礎Ａの隅部Ａ１や隅部Ａ２の付近に位置する柱位置のアンカーボルト集合体Ｂに嵌め込まれ、隅部Ａ１のモジュール芯Ｍの交点を頂点とする対角寸法を点検するために使用されるものである。
対角寸法点検具１Ａは、ボルト嵌合部３ａと、表面側に水平点検面４ａが形成された点検板４１ａと、重ね板５ａとで構成されており、水平点検面４ａにはピン７ａが突設されている。
ボルト嵌合部３ａは２本のボルト嵌合縦筒６ａから成り、ボルト嵌合縦筒６ａの下端には挿入口６１ａが形成されている。
同図の二点鎖線で示すように、２本のボルト嵌合縦筒６ａを基礎Ａの隅部Ａ１の角に位置するアンカーボルトＢ１に嵌め込むと、水平点検面４ａのピン７ａは基礎Ａの隅部Ａ１のモジュール芯Ｍの交点を通る鉛直線上に位置するように設定されている。
また、点検板４１ａの水平点検面４ａにはモジュール芯Ｍに対応するモジュール線８ａ，８２ａが印されている。
重ね板５ａの外縁部のうち、モジュール芯Ｍに対応する部位にはモジュール芯Ｍの上に天端墨を打つための墨出し用切欠き５１ａが設けられている。
重ね板５ａにはボルト嵌合縦筒６ａの下端を取付けるための取付孔５２ａが設けらている。
ピン７ａの上端には抜止め７１ａが形成され、点検板４１ａには墨出し用切欠き５１ａに対応する切欠き４２ａが設けられている。
【００１９】
図８は、耐力壁用柱のアンカーボルト集合体Ｂ専用の対角寸法点検具２Ａの斜視図を示しており、この対角寸法点検具２ＡはテープＴの読定側に配設されて基礎Ａの隅部Ａ１のモジュール芯Ｍの交点や隅部の付近に位置する柱位置を頂点とする対角寸法を点検するものである。
この対角寸法点検具２Ａの構成については、基礎Ａの隅部Ａ１におけるモジュール芯Ｍの交差点と鉛直方向で対応する部位に、ピン７ａに代えて読定用小孔９ａが設けられている以外は、対角寸法点検具１Ａと同じであるので、同一部分又は相当部分に同符号を付して、その説明を省略する。
このように、対角寸法点検具１Ａ，２Ａのボルト嵌合縦筒６を２本にすることにより、ボルト嵌合縦筒６が４本のものに較べてアンカーボルト集合体ＢのアンカーボルトＢ１への嵌め込み作業が容易となる。
【００２０】
図９は、非耐力壁用柱のアンカーボルト集合体Ｃ専用の対角寸法点検具１Ｂの斜視図を示しており、この対角寸法点検具１ＢはテープＴの始端側に配設されて基礎Ａの隅部Ａ１のモジュール芯Ｍの交点や隅部の付近に位置する柱位置を頂点とする対角寸法を点検するためのものである。
対角寸法点検具１Ｂは、アンカーボルト集合体Ｃに嵌め込まれるボルト嵌合部３ｂと、表面側に水平点検面４ｂが形成された点検板４１ｂと、重ね板５ｂとで構成されており、水平点検面４ｂにはピン７ｂが突設されている。
ボルト嵌合部３ｂは４本のボルト嵌合縦筒６ｂから成り、ボルト嵌合縦筒６ｂの下端には挿入口６１ｂが形成されている。
同図の二点鎖線で示すように、４本のボルト嵌合縦筒６ｂを基礎Ａの隅部Ａ１の角に位置するアンカーボルトＢ１に嵌め込むと、水平点検面４ｂのピン７ｂは基礎Ａの隅部Ａ１のモジュール芯Ｍの交点を通る鉛直線上に位置するように設定されている。
また、点検板４１ｂの水平点検面４ｂにはモジュール芯Ｍに対応するモジュール線８ｂ，８１ｂが印されている。
重ね板５ｂの外縁部のうち、モジュール芯Ｍに対応する部位にはモジュール芯Ｍの上に天端墨を打つための墨出し用切欠き５１ｂが設けられている。
また、重ね板５ｂにはボルト嵌合縦筒６ｂの下端を取付けるための取付孔５２ｂが設けらている。
ピン７ｂの上端を折り曲げられて抜止め７１ｂが形成されている。
点検板４１ｂには、墨出し用切欠き５１ｂに対応する切欠き４２ｂが設けられている。
【００２１】
図１０は、非耐力壁用柱のアンカーボルト集合体Ｃ専用の対角寸法点検具２Ｂの斜視図を示しており、この対角寸法点検具２ＢはテープＴの読定側に配設されて基礎Ａの隅部Ａ１のモジュール芯Ｍの交点や隅部の付近に位置する柱位置を頂点とする対角寸法を点検するものである。
この対角寸法点検具２Ｂの構成については、基礎Ａの隅部Ａ１におけるモジュール芯Ｍの交差点と鉛直方向で対応する部位に、ピン７ｂに代えて読定用小孔９ｂが設けられている以外は、対角寸法点検具１Ｂと同じであるので、同一部分又は相当部分に同符号を付して、その説明を省略する。
このように、非耐力壁用柱のアンカーボルト集合体Ｃ専用の対角寸法点検具１Ｂ，２Ｂは、取扱い容易となり、点検作業のより一層の迅速化が図れる。
【００２２】
ピン７，７ａ，７ｂはテープＴの固定部の一例であり、読定用小孔９，９ａ，９ｂはテープの読定標の一例である。
【００２３】
【発明の効果】
以上説明したように、請求項１の発明の建築基礎の対角寸法点検具によれば、テープの始端側を水平点検面の固定部に固定することにより、テープの読み手だけで点検作業を行うことができ、また、アンカーボルトに邪魔されることがないので、点検作業能率が向上し、更に、アンカーボルトによる測定誤差が生じない。
【００２４】
請求項２の発明の建築基礎の対角寸法点検具によれば、モジュール芯の墨出しが容易となる。
【００２５】
請求項３の発明の建築基礎の対角寸法点検具によれば、テープを水平点検面に載せて読定標に合わせることにより、アンカーボルトに邪魔されることがないので、テープの目盛りを読むことができ、点検作業能率が向上する。また、アンカーボルトによる測定誤差が生じない。
【００２６】
請求項４の発明の建築基礎の対角寸法点検具によれば、モジュール芯の墨出しが容易となる。
【図面の簡単な説明】
【図１】本発明の建築基礎の対角寸法点検具の実施の形態を示す斜視図である。
【図２】同実施形態の基礎へのセット動作を示す斜視図である。
【図３】同実施形態を示す斜視図である。
【図４】建築基礎の対角寸法の点検作業を示す平面図である。
【図５】同点検作業を示す斜視図である。
【図６】同点検作業を示す斜視図である。
【図７】本発明の建築基礎の対角寸法点検具の他の実施の形態を示す斜視図である。
【図８】同他の実施の形態を示す斜視図である。
【図９】本発明の建築基礎の対角寸法点検具の更に他の実施の形態を示す斜視図である。
【図１０】同更に他の実施の形態を示す斜視図である。
【図１１】建築基礎の対角寸法を示す平面図である。
【図１２】従来の建築基礎の辺長寸法の点検作業を示す斜視図である。
【図１３】従来の建築基礎の辺長寸法の点検作業を示す平面図である。
【符号の説明】
Ｔ      テープ
１      対角寸法点検具
２      対角寸法点検具
３      ボルト嵌合部
４      水平点検面
５      重ね板
６２    ボルト嵌合孔
６２Ａ  ボルト嵌合孔
７      ピン
Ｂ      アンカーボルト集合体
Ｃ      アンカーボルト集合体
【図１】
0003562954.tif 000002
【図２】
0003562954.tif 000003
【図３】
0003562954.tif 000004
【図４】
0003562954.tif 000005
【図５】
0003562954.tif 000006
【図６】
0003562954.tif 000007
【図７】
0003562954.tif 000008
【図８】
0003562954.tif 000009
【図９】
0003562954.tif 000010
【図１０】
0003562954.tif 000011
【図１１】
0003562954.tif 000012
【図１２】
0003562954.tif 000013
【図１３】
0003562954.tif 000014